(57)【要約】      （修正有）【課題】認証機能による高いセキュリティー性を有し、構成部材を簡素にして特別な専門技術が無くとも既設のサムターン付シリンダ錠を電子錠に容易に変更することができ、必要に応じ遠隔からも施錠解錠が操作でき、しかも安価な電子錠システムを提供する。【解決手段】サムターンに取着するアタッチメント部やモーター等を有するモーターギヤ装置Ａと、管理者コード及びパスワードを発信する外部制御端末Ｄと、前記外部制御端末Ｄからの外部信号を受信する受光装置Ｃと、認証用の所定の管理者コード及びパスワードと前記外部制御端末Ｄからの管理者コード及びパスワードとを比較して認証判断を行って前記モーターギヤ装置Ａのモーターを駆動させる電子制御装置Ｂとから電子錠システムを構成した。【選択図】図２
2005213994.tif 000002
【特許請求の範囲】
【請求項１】
扉を施錠又は解錠するためのサムターンに配設する装置であって、サムターンに取着するアタッチメント部、前記アタッチメント部と一体化されて前記アタッチメント部を支持する軸部、前記軸部を回動するためのモーター、及び前記モーターの駆動力を前記軸部に伝達するためのギヤ部を有するモーターギヤ装置と、
管理者コード及びパスワード、並びに施錠又は解錠指令を発信するための外部制御端末と、
前記外部制御端末から発信される管理者コード及びパスワード、並びに施錠又は解錠指令を含む外部信号を受信するとともに、受信した当該外部信号を出力する受信装置と、
認証用の所定の管理者コード及びパスワードを予め記憶することが可能な電子制御装置であって、前記受信装置から出力される外部信号を入力すると、当該外部信号に含まれる管理者コード及びパスワードと認証用の所定の管理者コード及びパスワードとを比較して認証判断を行い、前記認証判断に基づいて前記モーターギヤ装置のモーターを駆動させるためのモーター駆動信号を出力する電子制御装置と、
から構成されることを特徴とする電子錠システム。
【請求項２】
前記アタッチメント部は、各種サムターンの形状に合わせて選択適用できるよう複数種用意されるとともに、当該アタッチメント部と前記軸部とが着脱自在に形成されることによりサムターンの形状に合わせてアタッチメント部が交換可能とすることを特徴とする請求項１に記載の電子錠システム。
【請求項３】
前記外部制御端末には、赤外線信号の送信が可能な携帯電話を適用するとともに、前記受信装置は、赤外線信号の受信が可能な赤外線受光素子及び当該赤外線受光素子で受光した信号を電気信号に変換して出力する変換出力部を有した受信装置としたことを特徴とする請求項１又は請求項２に記載の電子錠システム。
【請求項４】
ローカルエリアネットワーク（ＬＡＮ）回線又は公衆回線を、パーソナルコンピュータ（ＰＣ）又は通信用ドライバを介して前記電子制御装置に接続したことを特徴とする請求項１から請求項３の何れかに記載の電子錠システム。
【発明の詳細な説明】
【技術分野】
【０００１】  本発明は、扉の施錠又は解錠を電子的に行うための電子錠システムに関する。更に詳しくは、携帯電話等の外部制御端末から発信される電気信号を受信し、当該電気信号を認証機能によって識別し、これによりサムターンを回動させて扉を施錠又は解錠する電子錠システムに関する。
【背景技術】
【０００２】  従来、シリンダ錠は、金属鍵を用いて機械的に施錠又は解錠を行うのが通例であるが、近年、防犯対策等の目的で電子錠が普及しつつある。電子錠の例としては、番号入力用のテンキーを扉の付近に設置し、前記テンキーに暗証番号を入力することにより扉の施錠又は解錠を行う方法が知られている。また、指紋を識別するための指紋識別装置を扉の付近に設置し、指紋識別装置に指をかざすことによって入室者を認証し、これにより扉を施錠又は解錠する方法も公知となっている。更に、特に厳格な認証を必要とする場合には、目の網膜を識別することによって判別を行う網膜認証システムも実用化されている。【０００３】  上述のような電子錠システムは、例えば以下の特許文献に記載されている。
【特許文献１】特開２００３−０９１５１０号公報
【特許文献２】特開２０００−１８３８４３号公報
【特許文献３】特開平０８−０４２２０７号公報
【特許文献４】特開平０５−２３１０５６号公報
【発明の開示】
【発明が解決しようとする課題】
【０００４】  金属鍵を用いてシリンダ錠を機械的に施錠又は解錠する従来の方法によれば、金属鍵を紛失した場合には管理者が容易に扉を開閉することができなくなるとともに、新たに鍵を製作し直すか或いはシリンダ錠を含めて錠鍵一式を交換しなければならなかった。また、金属鍵を管理者以外の者によって盗難されたり合い鍵を製作された場合には、管理者以外の者に扉を開閉されて侵入されてしまう問題があった。【０００５】  また、番号入力用のテンキーを扉の付近に設置し、前記テンキーに暗証番号を入力することにより扉の施錠又は解錠を行う方法では、高いセキュリティー性が得られるとともに、複数の暗証番号を設定して複数の鍵を用意することができる利点がある反面、一般的に構築部材自体が高価であったり、錠鍵一式全てを交換する作業も必要となることから設置コストが高くなるという問題があった。【０００６】  更には、指紋識別装置を扉の付近に設置し、入室者を認証して扉を施錠又は解錠する方法にあっては、複数の鍵を用意できるのはもちろんのこと、前記テンキー方式以上に高いセキュリティー性が得られるが、現在のところ前記テンキー方式以上に高い設置コストが必要となる。従って、適用は、極めて高いセキュリティーが必要となる箇所に限られていた。【０００７】  更にまた、前記テンキー方式や指紋識別方式の錠鍵では、錠鍵交換の際、錠鍵一式全てを交換することとなるために専門の技術者に交換を依頼しなければならず、容易に交換できないという問題もあった。【０００８】  本発明は、上述の従来の錠鍵システムが有する課題を解決することにある。すなわち、認証機能による高いセキュリティー性を有し、構成部材を簡素にすることにより特別な専門技術が無くとも既設のサムターン付シリンダ錠を電子錠に容易に変更することができ、必要に応じ遠隔からも施錠解錠が操作でき、しかも安価な電子錠システムを提供することを目的とするものである。
【課題を解決するための手段】
【０００９】
【００１０】  上述の課題を解決するために、
第１には、
扉を施錠又は解錠するためのサムターンに配設する装置であって、サムターンに取着するアタッチメント部、前記アタッチメント部と一体化されて前記アタッチメント部を支持する軸部、前記軸部を回動するためのモーター、及び前記モーターの駆動力を前記軸部に伝達するためのギヤ部を有するモーターギヤ装置と、
管理者コード及びパスワード、並びに施錠又は解錠指令を発信するための外部制御端末と、
前記外部制御端末から発信される管理者コード及びパスワード、並びに施錠又は解錠指令を含む外部信号を受信するとともに、受信した当該外部信号を出力する受信装置と、
認証用の所定の管理者コード及びパスワードを予め記憶することが可能な電子制御装置であって、前記受信装置から出力される外部信号を入力すると、当該外部信号に含まれる管理者コード及びパスワードと認証用の所定の管理者コード及びパスワードとを比較して認証判断を行い、前記認証判断に基づいて前記モーターギヤ装置のモーターを駆動させるためのモーター駆動信号を出力する電子制御装置と、
から構成されることを特徴とする電子錠システムとしたものであり、
第２には、
前記アタッチメント部は、各種サムターンの形状に合わせて選択適用できるよう複数種用意されるとともに、当該アタッチメント部と前記軸部とが着脱自在に形成されることによりサムターンの形状に合わせてアタッチメント部が交換可能とすることを特徴とする請求項１に記載の電子錠システムとしたものであり、
第３には、
前記外部制御端末には、赤外線信号の送信が可能な携帯電話を適用するとともに、前記受信装置は、赤外線信号の受信が可能な赤外線受光素子及び当該赤外線受光素子で受光した信号を電気信号に変換して出力する変換出力部を有した受信装置としたことを特徴とする請求項１又は請求項２に記載の電子錠システムとしたものであり、
第４には、
ローカルエリアネットワーク（ＬＡＮ）回線又は公衆回線を、パーソナルコンピュータ（ＰＣ）又は通信用ドライバを介して前記電子制御装置に接続したことを特徴とする請求項１から請求項３の何れかに記載の電子錠システムとしたものである。
【発明の効果】
【００１１】  本発明は、前述のような構成を有する電子錠システムとしたことから、以下に記載の効果を奏することができる。【００１２】  金属鍵を使用することなしに扉を施錠又は解錠することができる。従って、金属鍵を持ち運びしなくてもよいので金属鍵の紛失を防止できるとともに、金属鍵の盗難による管理者以外の侵入を防止することができる。【００１３】  また、携帯電話等の外部制御端末、又はＬＡＮ回線若しくは公衆回線を介した遠隔端末から管理者コード及びパスワードを発信し認証機能によって扉を開閉するので、高いセキュリティ性が確保できる。【００１４】  更には、本発明の電子錠システムを構築する際には、サムターンを回動するための小型なモーターギヤ装置をサムターンに取着するとともに外部信号を受信するための受信装置を屋外側の扉付近に配設し、前記モーターギヤ装置と前記受光装置とを屋内に設ける電子制御装置に接続すればよいので、電子錠システムの構築が簡単であり、従来に比べて安価な電子錠システムを構築することができる。なお、遠隔操作用の遠隔端末も電子制御装置に接続するのみで容易に付加できる。【００１５】  更にまた、アタッチメントは、各種サムターンの形状に合わせて選択適用できるよう複数種用意されるとともに、当該アタッチメントと軸とが着脱自在に形成されることから、サムターンの形状に合わせて適宜アタッチメントが選択でき、種々のサムターンに適用することができる。【００１６】  なお更に、前記テンキー方式や指紋識別方式の錠鍵では、錠鍵交換の際、錠鍵一式全てを交換することとなるために専門の技術者に交換を依頼しなければならなかったが、本発明の電子錠システムは構成が簡素であるため、錠鍵専門の技術者でなくとも容易に交換することができる。
【発明を実施するための最良の形態】
【００１７】  以下に、本発明を実施するための最良の形態について説明するが、本発明の趣旨を越えない限り何ら下記形態に限定されるものではない。【００１８】  図１は建築物の扉を表す概略図であって、図１（ａ）は建築物の側面断面図、図１（ｂ）は建築物の内側から扉を見た様子を表す概略図である。建築物の壁１には、扉２が配設されており、扉２の一方の長辺側の略中央部にはノブ３、ロック金具４及びサムターン５が設けられている。扉２がサムターン５によって解錠されている場合には、ロック金具４が扉の内部に収容されるようになっており、ノブ３の取っ手３ａ又は３ｂを回動すると扉を開閉することができるようになっている。一方、扉２がサムターン５によって施錠されている場合には、ロック金具４が扉の内部から突出して壁１の透孔（図示せず）に挿通された状態になっており、ノブ３の取っ手３ａ又は３ｂを回動しても扉を開閉することができないようになっている。なお、サムターン５には、つまみ５ａが設けられており、つまみ５ａを回動することによってロック金具が左右動して施錠又は解錠状態となるものである。【００１９】  図２は建築物の扉に本発明の電子錠システムを配設した様子を表す概略図であって、図２（ａ）は建築物の側面断面図、図２（ｂ）は建築物の内側から扉を見た様子を表す概略図、図２（ｃ）は建築物の外側から扉を見た様子を表す概略図である。扉２のサムターン５にはモーターギヤ装置Ａが装着されている。このモーターギヤ装置Ａは、図３に示すように、モーターａ２及びギヤ装置ａ３を内蔵する本体ａ７と、本体ａ７に取着された複数本の足ａ１と、台座ａ８と、サムターン５のつまみ５ａに覆設するアタッチメントａ６と、アタッチメントａ６とギヤ装置ａ３とを接続するための軸ａ５と、手動回転用つまみａ４とから構成されている。【００２０】  上述のように組み立てられたモーターギヤ装置Ａは、台座ａ８の角部付近に穿設された複数の孔ａ９にネジをそれぞれ挿通するとともに、扉２に螺設されたネジ孔にそれぞれのネジを螺合することで扉２に装着される。なお、台座ａ８の略中央には、サムターン５が貫通できる貫通孔が設けられている。また、台座ａ８を扉２に装着する際には、アタッチメントａ６が、サムターン５のつまみ５ａに覆設されるようアタッチメントａ６の位置や方向を調整しながら行う。アタッチメントａ６の形状は、サムターン５のつまみ５ａの形状に合わせて適宜設計されたものが用意されているので、様々なサムターン５に合わせて選択適用することができるものである。そして、このモーターギヤ装置Ａは、後述する電子制御装置Ｂに接続線Ｌ２によって接続されている。【００２１】  また、建築物の外側の扉２には受光装置Ｃが配設されている。この受光装置Ｃは、受光素子ｃ１、マイクロプロセッサｃ２、通信用ドライバｃ３及び複数のＬＥＤｃ４等から構成されており、後述する電子制御装置Ｂに接続線Ｌ１によって接続されている。ＬＥＤｃ４は、解錠された場合に点灯するＬＥＤや施錠された場合に点灯するＬＥＤ、或いは後述の外部制御端末Ｄから受信した管理者コード又はパスワードにエラーがあった場合に点灯するＬＥＤ等、複数のＬＥＤから構成されている。これにより、動作状態を目��で明確に確認できるものとなっている。なお、ＬＥＤｃ４が不要な場合は、受光装置Ｃの構成要素に含めなくともよい。また、受光装置Ｃは、受光素子ｃ１のみを屋外に取り付け、マイクロプロセッサｃ２や通信用ドライバｃ３を屋内に設けるよう構成してもよい。【００２２】  Ｂは、電子制御装置であって、建築物の内部に配設されるものであり、通信用ドライバｂ１、ｂ３を介して前述のモーターギヤ装置Ａ、受光装置Ｃに接続されている。この電子制御装置Ｂの内部には、マイクロプロセッサｂ２が内蔵されており、このマイクロプロセッサｂ２によってモーターギヤ装置Ａや受光装置Ｃの動作を制御するものである。マイクロプロセッサｂ２には、予め正規アクセス者用の管理者コード及びパスワードが記憶されており、後記する外部制御端末Ｄから入力される管理者コード及びパスワードを認証し、所定の動作を指示するものである。なお、システム全体の一連の動作については後述の通りである。【００２３】  Ｄは、外部制御端末であって、持ち運びが容易な小型の携帯端末である。この外部制御端末Ｄには表示部と入力部が備えられているとともに、制御用のソフトウェアが予め組み込まれている。扉２の施錠又は解錠を行う際には、入力部を用いて管理者コード及びパスワードを入力し受光装置Ｃの受光素子ｃ１に向けて施錠又は解錠動作を選択して信号を発信すればよい。外部制御端末Ｄは、本システム専用に設計された専用外部制御端末機を用いてもよいのであるが、一般に普及している赤外線送受信が可能な携帯電話を用いることもできる。携帯電話を適用する場合には、例えば、所定のＷｅｂ上に予めアップロードされている制御用のソフトウェアをダウンロードすることでソフトウェアを組み込むことが可能であり、容易に外部制御端末に仕立てることができるものである。このように、外部制御端末に携帯電話を適用することで、新規に専用の外部制御端末を用意する必要もないので、システム全体のコストを小さくすることが可能となっている。【００２４】  Ｅは、パーソナルコンピュータである。例えば、遠方の集中管理制御棟から各建築物の施錠又は解錠を行う場合には、集中管理制御棟に配設された制御用端末機を、ローカルエリアネットワーク（以下、ＬＡＮという。）又は公衆回線Ｌ４を介してパーソナルコンピュータＥに接続する。そして、このパーソナルコンピュータＥと電子制御装置Ｂとの間を接続線Ｌ３により接続する。なお、ＰＣの代わりに、公衆回線Ｌ４と接続線Ｌ３との間の信号を適宜変換する機能を有する通信用ドライバを用いてもよい。このようにＰＣの代わりに通信用ドライバを用いることで、システム全体のコストを更に小さくすることができる。【００２５】  次に、システム全体の一連の動作について説明する。施錠された扉２を携帯電話型の外部制御端末Ｄを用いて解錠する場合は以下の通りである。管理者は、外部制御端末Ｄを携帯して対象の建築物に移動し、所定の管理者コード及びパスワードを入力するとともに解錠を指定し、受光装置Ｃの受光素子ｃ１に向けて赤外線信号を送信する。【００２６】  すると、受光素子ｃ１は、受信した赤外線信号を電気信号に変換し出力するため、マイクロプロセッサｃ２に受信信号が入力される。マイクロプ���セッサｃ２は、受信信号が入力されると通信用ドライバｃ３、接続線Ｌ１及び通信用ドライバｂ１を介して電子制御装置Ｂのマイクロプロセッサｂ２に受信信号を伝送する。【００２７】  この受信信号をマイクロプロセッサｂ２が受け取ると、マイクロプロセッサｂ２は、管理者から送信された管理者コード及びパスワードを確認し、予め記憶されている正規の管理者コード及びパスワードと照合し、認証の判断を行う。ここで、認証されなかった場合には、受光装置Ｃに向けて認証エラー信号を送ることとなり、認証エラー信号を受けた受光装置Ｃは、複数のＬＥＤｃ４のうち、「認証エラー」表示用のＬＥＤを点灯させる。また、この時解錠を行わないため、電子制御装置Ｂは、モーターギヤ装置Ａに対して解錠指示の信号を送ることはない。【００２８】  一方、認証された場合には、受光装置Ｃに認証信号を送ることとなり、認証信号を受けた受光装置Ｃは、複数のＬＥＤｃ４のうち、「認証」表示用のＬＥＤを点灯させる。また、この時解錠を行うため、これと同時に電子制御装置Ｂは、モーターギヤ装置Ａに対して解錠指示の信号を送ることとなる。【００２９】  電子制御装置Ｂのマイクロプロセッサｂ２からモーターギヤ装置Ａのモータードライブ回路ａ１０に対して解錠信号が入力されると、モータードライブ回路ａ１０は、モーターａ２が解錠方向に回転するようモーター回転信号を出力する。そうすると、モーターａ２が解錠方向に回転し、モーターａ２に係合されるギヤ装置ａ３、ギヤ装置ａ３に係合される軸ａ５及び軸ａ５に一体化されたアタッチメントａ６にモーターａ２の駆動力が伝達され、アタッチメントａ６に覆設されたサムターン５のつまみ５ａが解錠方向に回転する。これにより、ロック金具４が扉２の内部方向に移動して扉２が解錠される。【００３０】  なお、スイッチａ９は、サムターン５のつまみ５ａが施錠状態にあるのか又は解錠状態にあるのかを出力するための接点部材である。このスイッチａ９の接点出力信号は、電子制御装置Ｂのマイクロプロセッサｂ２に入力されており、これにより、電子制御装置Ｂは、サムターン５の施錠解錠状態を認識できるものとなっている。例えば、電子制御装置Ｂが解錠指令を出力したにもかかわらずスイッチａ９からの信号が施錠状態を示すものであった場合には、「モーターギヤ装置エラー」等のエラー信号を受光装置Ｃに出力し、ＬＥＤｃ４を点灯させることにより、扉２を解錠しようとしている管理者に警報表示を行うことができる。ａ４は、軸ａ５を手動で回転させるための手動回転用つまみであり、モーターギヤ装置エラーが生じた場合等のメンテナンス時に使用するものである。【００３１】  また、外部制御端末Ｄによらず遠隔の集中管理制御棟から扉２を解錠する場合には、集中管理制御棟に配設された制御用端末機に管理者コード及びパスワードを入力するとともに解錠指令を出力する。そうすると、ローカルエリアネットワーク（以下ＬＡＮという。）又は公衆回線Ｌ４を介してパーソナルコンピュータＥに解錠指令が伝達され、更にパーソナルコンピュータＥが電子制御装置Ｂに解錠指令を出力し、扉２が解錠されることとなる。【００３２】  解錠の場合の動作は以上の通りであるが、解錠された扉２を携帯電話型���外部制御端末Ｄを用いて施錠する場合は以下の通りである。【００３３】  管理者は、屋内での作業を終了した後、外部制御端末Ｄを携帯して屋外に移動し、所定の管理者コード及びパスワードを入力するとともに施錠を指定し、受光装置Ｃの受光素子ｃ１に向けて赤外線信号を送信する。【００３４】  すると、受光素子ｃ１は、受信した赤外線信号を電気信号に変換し出力するため、マイクロプロセッサｃ２に受信信号が入力される。マイクロプロセッサｃ２は、受信信号が入力されると通信用ドライバｃ３、接続線Ｌ１及び通信用ドライバｂ１を介して電子制御装置Ｂのマイクロプロセッサｂ２に受信信号を伝送する。【００３５】  この受信信号をマイクロプロセッサｂ２が受け取ると、マイクロプロセッサｂ２は、管理者から送信された管理者コード及びパスワードを確認し、予め記憶されている正規の管理者コード及びパスワードと照合し、認証の判断を行う。ここで、認証されなかった場合には、受光装置Ｃに向けて認証エラー信号を送ることとなり、認証エラー信号を受けた受光装置Ｃは、複数のＬＥＤｃ４のうち、「認証エラー」表示用のＬＥＤを点灯させる。また、この時施錠を行わないため、電子制御装置Ｂは、モーターギヤ装置Ａに対して施錠指示の信号を送ることはない。【００３６】  一方、認証された場合には、受光装置Ｃに認証信号を送ることとなり、認証信号を受けた受光装置Ｃは、複数のＬＥＤｃ４のうち、「認証」表示用のＬＥＤを点灯させる。また、この時施錠を行うため、これと同時に電子制御装置Ｂは、モーターギヤ装置Ａに対して施錠指示の信号を送ることとなる。【００３７】  電子制御装置Ｂのマイクロプロセッサｂ２からモーターギヤ装置Ａのモータードライブ回路ａ１０に対して施錠信号が入力されると、モータードライブ回路ａ１０は、モーターａ２が施錠方向に回転するようモーター回転信号を出力する。そうすると、モーターａ２が施錠方向に回転し、モーターａ２に係合されるギヤ装置ａ３、ギヤ装置ａ３に係合される軸ａ５及び軸ａ５に一体化されたアタッチメントａ６にモーターａ２の駆動力が伝達され、アタッチメントａ６に覆設されたサムターン５のつまみ５ａが施錠方向に回転する。これにより、ロック金具４が扉２の内部から壁１に穿設された孔に向けて挿通されるよう移動し扉２が施錠される。【００３８】  施錠時においてもスイッチａ９の接点出力信号は、電子制御装置Ｂのマイクロプロセッサｂ２に入力されており、これにより、電子制御装置Ｂは、サムターン５の施錠状態を認識できるものとなっている。電子制御装置Ｂが施錠指令を出力したにもかかわらずスイッチａ９からの信号が解錠状態を示すものであった場合には、「モーターギヤ装置エラー」等のエラー信号を受光装置Ｃに出力し、ＬＥＤｃ４を点灯させることにより、扉２を施錠しようとしている管理者に警報表示を行うことができる。【００３９】  また、外部制御端末Ｄによらず遠隔の集中管理制御棟から扉２を施錠する場合には、集中管理制御棟に配設された制御用端末機に管理者コード及びパスワードを入力するとともに施錠指令を出力する。そうすると、ＬＡＮ又は公衆回線Ｌ４を介してパーソナルコンピュータＥに施錠指令が伝達され、更にパーソナルコンピュータ��が電子制御装置Ｂに施錠指令を出力し、扉２が施錠される。
【図面の簡単な説明】
【００４０】
【図１】  図１は、建築物の扉を表す概略図であって、（ａ）は建築物の側面断面図、（ｂ）は建築物の内側から扉を見た様子を表す概略図である。
【図２】  図２は、建築物の扉に本発明の電子錠システムを配設した様子を表す概略図であって、図２の（ａ）は建築物の側面断面図、図２の（ｂ）は建築物の内側から扉を見た様子を表す概略図、図２の（ｃ）は建築物の外側から扉を見た様子を表す概略図である。
【図３】  図３は、本発明の電子錠システムのモーターギヤ装置の側面図である。
【図４】  図４は、本発明の電子錠システムのブロック図である。
【符号の説明】
【００４１】    １            ……  壁
２            ……  扉
３            ……  ノブ
４            ……  ロック金具
５            ……  サムターン
５ａ          ……  サムターンのつまみ
Ａ            ……  モーターギヤ装置
Ｂ            ……  電子制御装置
Ｃ            ……  受光装置
Ｄ            ……  外部制御端末
Ｅ            ……  パーソナルコンピュータ
Ｌ１〜Ｌ３    ……  接続線
Ｌ４          ……  ＬＡＮ回線又は公衆回線
ａ６          ……  アタッチメント
ｂ２          ……  マイクロプロセッサ
ｃ１          ……  受光素子
ｃ４          ……  ＬＥＤ
【図１】
2005213994.tif 000003
【図２】
2005213994.tif 000004
【図３】
2005213994.tif 000005
【図４】
2005213994.tif 000006